(57)【要約】【課題】  摺動機構及び該摺動機構を備える携帯機器を提供すること。【解決手段】  携帯機器は下部ケーシングと、上部ケーシングとを有し、摺動機構は下部ケーシングに取り付けられた固定フレームと、上部ケーシングに取り付けられた摺動フレームと、固定フレームと摺動フレームとの間に取り付けられた弾性位置決めアセンブリとを有する。摺動フレームは固定フレームに向けて突出する複数の押しピンを有し、弾性位置決めアセンブリは２つのスライダと、該スライダ間に配置され、スライダに隣接する複数の弾性要素とを有する。上部ケーシングが下部ケーシングに対して摺動するとき、押しピンは、対応するスライダに沿って動き、該スライダを押し、弾性要素を押す。押しピンが対応するスライダの他方の側に動かされる限り、弾性要素はスライダを押し返し、携帯機器の上部及び下部ケーシングは互いに対して開かれる。【選択図】  図１
0003165603.tif 000002
【実用新案登録請求の範囲】
【請求項１】
固定フレームと、該固定フレームに取り付けられた摺動フレームと、前記固定フレームに取り付けられ、該固定フレームと前記摺動フレームとの間に配置された弾性位置決めアセンブリとを含み、
前記摺動フレームは、前記固定フレームに対応する内面と、前記摺動フレームの前記内面に取り付けられた少なくとも１つの押しピンとを有し、
前記弾性位置決めアセンブリは、前記固定フレームに固定された取付ブラケットと、該取付ブラケットに取り付けられ、前記取付ブラケットと前記少なくとも１つの押しピンとの間に配置された第１のスライダと、該第１のスライダにそれぞれ取り付けられた複数の弾性要素とを有し、
前記取付ブラケットは、少なくとも１つの前記押しピンに対応する少なくとも１つの側面と、前記取付ブラケットの少なくとも１つの前記側面に形成された複数の取付凹所を有し、
前記第１のスライダは、取付ブラケットの前記側面の１つに取り付けられ、
前記第１のスライダの側面からそれぞれ突出する複数の取付ロッドであって前記取付ブラケットの前記取付凹所にそれぞれ取り付けられている取付ロッドと、前記第１のスライダの他の側面に形成され、対応する押しピンに隣接する押し突出部とを有し、
前記弾性要素は、前記第１のスライダの前記取付ロッドの周囲に取り付けられ、
各弾性要素は、前記取付ブラケット及び前記第１のスライダにそれぞれ隣接する２つの端部を有する、摺動機構。
【請求項２】
固定フレームと、該固定フレームに取り付けられた摺動フレームと、前記固定フレームに取り付けられ、該固定フレームと前記摺動フレームとの間に配置された弾性位置決めアセンブリとを含み、
前記摺動フレームは、前記固定フレームに対応する内面と、前記摺動フレームの前記内面に取り付けられた少なくとも１つの押しピンとを有し、
前記弾性位置決めアセンブリは、前記固定フレームに摺動可能に取り付けられた第１のスライダと、前記固定フレームに摺動可能に取り付けられた第２のスライダと、前記第１のスライダにそれぞれ取り付けられた複数の弾性要素とを有し、
前記第１のスライダは、該第１のスライダの側面からそれぞれ突出する複数の取付ロッドと、前記第１のスライダの他の側面に形成され、対応する押しピンに隣接する押し突出部とを有し、
前記弾性要素は、前記第１のスライダの前記取付ロッドの周囲に取り付けられ、
各弾性要素は、前記第１のスライダ及び前記第２のスライダにそれぞれ隣接する２つの端部を有する、摺動機構。
【請求項３】
前記摺動フレームは、２つの押しピンを有し、
前記弾性位置決めアセンブリの前記第２のスライダは、該第２のスライダの側面からそれぞれ突出する複数の取付ロッドと、前記第２のスライダの他の側面に形成され、対応する押しピンに隣接する押し突出部とを有し、
前記弾性位置決めアセンブリの前記弾性要素は、前記第１のスライダ及び前記第２のスライダの前記取付ロッドの周囲にそれぞれ取り付けられ、
各弾性要素の前記端部は、前記第１のスライダ及び前記第２のスライダにそれぞれ隣接している、請求項２に記載の摺動機構。
【請求項４】
前記固定フレームは、該固定フレームを別々に貫いて形成された複数の案内溝を有し、
前記弾性位置決めアセンブリの前記第１のスライダは、該第１のスライダの底に形成された少なくとも１つの摺動突出部であって前記固定フレームの少なくとも１つの対応する案内溝に摺動可能に取り付けられた摺動突出部を有し、
前記弾性位置決めアセンブリの前記第２のスライダは、該第２のスライダの底に形成された少なくとも１つの摺動突出部であって前記固定フレームの少なくとも１つの対応する案内溝に摺動可能に取り付けられた摺動突出部を有する、請求項３に記載の摺動機構。
【請求項５】
前記固定フレームは、該固定フレームの少なくとも１つの側縁部に、前記固定フレームの前記案内溝と平行に形成された少なくとも１つの案内凹所を有し、
前記摺動フレームは、該摺動フレームの少なくとも１つの側縁部に形成された少なくとも１つの案内突出部であって前記固定フレームの少なくとも１つの案内凹所に摺動可能に取り付けられた案内突出部を有する、請求項４に記載の摺動機構。
【請求項６】
下部ケーシングと、上部ケーシングと、前記下部ケーシングにしっかりと取り付けられた前記摺動機構の前記固定フレームと、前記上部ケーシングにしっかりと取り付けられた前記摺動機構の前記摺動フレームとを含む、請求項１ないし５のいずれか１項に記載の摺動機構を備える携帯機器。
【考案の詳細な説明】
【技術分野】
【０００１】
本考案は、摺動機構に関し、特に、携帯機器の上部ケーシングが前記携帯機器の下部ケーシングに対して摺動するように前記携帯機器に取り付けられた摺動機構に関する。
【背景技術】
【０００２】
技術の発展により、携帯電話、携帯情報端末（ＰＤＡｓ）及び同様の個人用携帯電子機器は、ますます新しい機能及びより小型でより軽い外観を有する。輸送及び保管の便宜のための単純化したボリュームを有するために、前記携帯機器は、キー操作部を有するベースと、画面を有するカバーとを含み、前記携帯機器の前記ベース及び前記カバーは、互いに対して反転させること、旋回させること又は摺動させることができる。
【０００３】
従来の摺動手段の大部分は、前記ベース及び前記カバーにそれぞれ接続された２つの端部を有する、トルクばねのような弾性位置決めアセンブリを有する。前記カバーが前記ベースに対して摺動するとき、前記弾性位置決めアセンブリは、前記ベースに対して閉じた又は開いた状態の前記カバーを保持するために前記カバーを引っ張る。従来の摺動手段は、数千回も使用することができない。したがって、新しい種類の摺動手段を提供すべく摺動手段のための新しい摺動機構を設計することが、必要とされている。
【考案の概要】
【考案が解決しようとする課題】
【０００４】
本考案の目的は、摺動機構及び該摺動機構を備える携帯機器を提供することにある。
【課題を解決するための手段】
【０００５】
携帯機器は、下部ケーシングと、上部ケーシングとを有する。摺動機構は、前記下部ケーシングに取り付けられた固定フレームと、前記上部ケーシングに取り付けられた摺動フレームと、前記固定フレームと前記摺動フレームとの間に取り付けられた弾性位置決めアセンブリとを有する。前記摺動フレームは、前記固定フレームに向けて突出する複数の押しピンを有する。前記弾性位置決めアセンブリは、２つのスライダと、該スライダ間に配置され、前記スライダに隣接する複数の弾性要素とを有する。前記上部ケーシングが前記下部ケーシングに対して摺動するとき、前記押しピンは、対応するスライダに沿って移動し、対応するスライダを押し、前記弾性要素を押圧する。前記押しピンが対応する前記スライダの他方の側に動かされるかぎり、前記弾性要素は、前記スライダを押し返し、前記携帯機器の上部ケーシング及び下部ケーシングは、互いに対して開かれる。
【図面の簡単な説明】
【０００６】
【図１】本考案に係る摺動機構の斜視図。
【図２】図１の摺動機構の分解斜視図。
【図３】図１の摺動機構の分解斜視図。
【図４】図１の摺動機構の弾性位置決めアセンブリの拡大分解斜視図。
【図５】閉じた状態で示され、携帯機器の下部ケーシングが極めて細い線で示された本考案に係る携帯機器の上面図。
【図６】開いた状態で示され、携帯機器の上部ケーシングが極めて細い線で示された本考案に係る携帯機器の上面図。
【図７】本考案に係る摺動機構の分解斜視図。
【図８】図７の摺動機構の弾性位置決めアセンブリの拡大分解斜視図。
【考案を実施するための形態】
【０００７】
図６及び図７を参照するに、本考案に係る携帯機器は、下部ケーシング２と、上部ケーシング３と、本考案に係る摺動機構１、１Ａとを含む。さらに、図１及び図２を参照するに、摺動機構１、１Ａは、固定フレーム１０、１０Ａと、摺動フレーム２０、２０Ａと、弾性位置決めアセンブリ３０、３０Ａとを含む。
【０００８】
固定フレーム１０、１０Ａは、下部ケーシング２にしっかりと取り付けられ、少なくとも１つの案内凹所１１、１１Ａと、少なくとも１つの摺動溝１２、１２Ａとを有する。少なくとも１つの案内凹所１１、１１Ａは、固定フレーム１０、１０Ａの少なくとも１つの側縁部に形成されている。少なくとも１つの摺動溝１２、１２Ａは、固定フレーム１０、１０Ａを貫通して形成され、少なくとも１つの案内凹所１１、１１Ａに平行に伸びている。
【０００９】
摺動フレーム２０、２０Ａは、固定フレーム１０、１０Ａに取り付けられ、上部ケーシング３にしっかりと取り付けられ、内面と、少なくとも１つの押しピン２１、２１Ａと、少なくとも１つの案内突出部２２、２２Aとを有する。摺動フレーム２０、２０Ａの前記内面は、固定フレーム１０、１０Ａに対応する。少なくとも１つの押しピン２１、２１Ａは、摺動フレーム２０、２０Ａの内面に取り付けられ、固定フレーム１０の少なくとも１つの摺動溝１２を貫いて摺動可能に突出している。少なくとも１つの案内突出部２２、２２Ａは、摺動フレーム２０、２０Ａの少なくとも1つの側縁部に形成され、固定フレーム１０、１０Ａの少なくとも１つの案内凹所１１、１１Ａに摺動可能に取り付けられている。したがって、摺動フレーム２０、２０Ａが固定フレーム１０、１０Ａに対して摺動するとき、摺動フレーム２０、２０Ａの少なくとも１つの案内突出部２２、２２Ａは、固定フレーム１０、１０Ａの少なくとも１つの案内凹所１１、１１Ａに沿って摺動する。
【００１０】
弾性位置決めアセンブリ３０、３０Ａは、固定フレーム１０、１０Ａに取り付けられ、固定フレーム１０、１０Ａと摺動フレーム２０、２０Ａとの間に配置されている。
【００１１】
摺動機構１の実施例において、固定フレーム１０は、さらに少なくとも１つの位置決め部１３と、少なくとも１つの貫通穴１４とを有する。固定フレーム１０の少なくとも１つの位置決め部１３は、固定フレーム１０に形成されている。少なくとも１つの貫通穴１４は、固定フレーム１０を貫いて形成されている。
【００１２】
図３及び図４を参照するに、弾性位置決めアセンブリ３０は、取付ブラケット３３と、少なくとも１つの締め金具３４と、第１のスライダ３１と、複数の弾性要素３５とを有する。
【００１３】
取付ブラケット３３は、固定フレーム１０にしっかりと取り付けられ、少なくとも１つの側面と、複数の取付凹所３３１と、少なくとも１つの位置決め部３３２とを有する。取付ブラケット３３の少なくとも１つの前記側面は、少なくとも１つの押しピン２１に対応する。取付凹所３３１は、取付ブラケット３３の少なくとも１つの前記側面に形成されている。取付ブラケット３３の少なくとも１つの位置決め部分３３２は、該取付ブラケットの下面に形成され、固定フレーム１０の特定の位置で前記取付ブラケットを取り付けるように前記固定フレームの少なくとも１つの位置決め部１３とかみ合う。
【００１４】
少なくとも１つの締め金具３４は、固定フレーム１０の少なくとも１つの貫通穴１４を通して取り付けられ、取付ブラケット３３が固定フレーム１０にしっかりと保持されるように前記取付ブラケットに留められている。
【００１５】
第１のスライダ３１は、取付ブラケット３３の前記側面の１つに取り付けられ、前記取付ブラケットと少なくとも１つの押しピン２１との間に配置されている。第１のスライダ３１は、複数の取付ロッド３１１と、押し突出部３１２とを有する。第１のスライダ３１の取付ロッド３１１は、前記第１のスライダの側面から別々に突出し、取付ブラケット３３の取付凹所３３１にそれぞれ取り付けられている。第１のスライダ３１の押し突出部３１２は、第１のスライダ３１の他の側面に形成され、対応する押しピン２１に隣接する。
【００１６】
弾性要素３５は、第１のスライダ３１の取付ロッド３１１の周囲にそれぞれ取り付けられている。各弾性要素３５は、取付ブラケット３３及び第１のスライダ３１にそれぞれ隣接する２つの端部を有する。
【００１７】
図７を参照するに、摺動機構１の別の実施例において、固定フレーム１０Ａは、さらに固定フレーム１０Ａを別々に貫いて形成された複数の案内溝１５Ａを有する。複数の案内溝１５Ａは、摺動溝１２Ａに垂直に伸びている。
【００１８】
図８を参照するに、弾性位置決めアセンブリ３０Ａは、第１のスライダ３１Ａと、第２のスライダ３２Ａと、複数の弾性要素３５Ａとを有する。
【００１９】
第１のスライダ３１Ａは、固定フレーム１０Ａに摺動可能に取り付けられ、複数の取付ロッド３１１Ａと、押し突出部３１２Ａと、少なくとも１つの摺動突出部３１４Ａとを有する。第１のスライダ３１Ａの取付ロッド３１１Ａは、前記第１のスライダの側面から別々に突出している。第１のスライダ３１Ａの押し突出部３１２Ａは、前記第１のスライダの他の側面に形成され、対応する押しピン２１Ａに隣接する。第１のスライダ３１Ａの少なくとも１つの摺動突出部３１４Ａは、前記第１のスライダの底に形成され、固定フレーム１０Ａの少なくとも１つの対応する案内溝１５Ａに摺動可能に取り付けられている。
【００２０】
第２のスライダ３２Ａは、固定フレーム１０Ａに摺動可能に取り付けられている。弾性要素３５Ａは、第１のスライダ３１Ａの取付ロッド３１１Ａの周囲にそれぞれ取り付けられている。各弾性要素３５Ａは、第１のスライダ３１Ａ及び第２のスライダ３２Ａにそれぞれ隣接する２つの端部を有する。
【００２１】
第１のスライダ３１Ａは、さらに該第１のスライダの取付ロッド３１１Aのそばに向かい合ってそれぞれ形成された２つの案内ロッド３１３Ａを有する。第２のスライダ３２Ａは、複数の取付ロッド３２１Ａと、押し突出部３２２Ａと、２つの案内ロッド３２３Ａと、少なくとも１つの摺動突出部３２４Ａとを有する。第２のスライダ３２Ａの取付ロッド３２１Ａは、前記第２のスライダの側面から別々に突出する。第２のスライダ３２Ａの押し突出部３２２Aは、前記第２のスライダの他の側面に形成され、対応する押しピン２１Ａに隣接する。第２のスライダ３２Ａの案内ロッド３２３Aは、前記第２のスライダの取付ロッド３２１Ａのそばに向かい合ってそれぞれ形成されている。第２のスライダ３２Ａの案内ロッド３２３Aは、第１のスライダ３１Ａ及び前記第２のスライダが前記第１のスライダ及び前記第２のスライダの案内ロッド３１３Ａ、３２３Ａに沿って摺動することを可能にするために前記第１のスライダの対応する案内ロッド３１３Ａと重なり合い、該案内ロッドとかみ合う。第２のスライダ３２Ａの少なくとも１つの摺動突出部３２４Ａは、前記第２のスライダの底に形成され、固定フレーム１０Ａの少なくとも１つの対応する案内溝１５Ａに摺動可能に取り付けられている。弾性位置決めアセンブリ３０Ａの弾性要素３５Ａは、第１のスライダ３１Ａ及び第２のスライダ３２Ａの取付ロッド３１１Ａ、３２１Ａの周囲にそれぞれ取り付けられている。各弾性要素３５Ａの端部は、第１のスライダ３１Ａ及び第２のスライダ３２Ａにそれぞれ隣接する。
【００２２】
図５を参照するに、携帯機器の下部ケーシング２及び上部ケーシング３が互いに対して閉じられたとき、各押しピン２１、２１Ａは、対応するスライダ３１、３１Ａ、３２Ａの押し突出部３１２、３１２Ａ、３２２Ａの一方の側に配置されている。
【００２３】
図６を参照するに、上部ケーシング３が下部ケーシング２に対して摺動するとき、押しピン２１、２１Ａは、第１のスライダ３１、３１Ａ及び第２のスライダ３２Ａの押し突出部３１２、３１２Ａ、３２２Ａに沿って動き、前記押し突出部を押し、弾性要素３５、３５Ａが押圧される。押しピン２１、２１Ａが対応するスライダ３１、３１Ａ、３２Ａの押し突出部３１２、３１２Ａ、３２２Ａの他方の側に動かされるかぎり、弾性要素３５、３５Ａは、第１のスライダ３１、３１Ａ及び第２のスライダ３２Ａを押し返す。その結果、押しピン２１、２１Ａは、第１のスライダ３１、３１Ａ及び第２のスライダ３２Ａの押し突出部３１２、３１２Ａ、３２２Ａの他方の側で保持され、前記携帯機器の上部ケーシング３及び下部ケーシング２は、互いに対して開かれる。
【符号の説明】
【００２４】
１、１Ａ  摺動機構
２  下部ケーシング
３  上部ケーシング
１０、１０Ａ  固定フレーム
１１、１１Ａ  案内凹所
１２、１２Ａ  摺動溝
１３、３３２  位置決め部
１４  貫通穴
１５Ａ  案内溝
２０、２０Ａ  摺動フレーム
２１、２１Ａ  押しピン
２２、２２Ａ  案内突出部
３０、３０Ａ  弾性位置決めアセンブリ
３１、３１Ａ  第１のスライダ
３２Ａ  第２のスライダ
３３  取付ブラケット
３４  締め金具
３５、３５Ａ  弾性要素
３１１、３１１Ａ、３２１Ａ  取付ロッド
３１２、３１２Ａ、３２２Ａ  押し突出部
３１３Ａ、３２３Ａ  案内ロッド
３１４Ａ、３２４Ａ  摺動突出部
３３１  取付凹所
【図１】
0003165603.tif 000003
【図２】
0003165603.tif 000004
【図３】
0003165603.tif 000005
【図４】
0003165603.tif 000006
【図５】
0003165603.tif 000007
【図６】
0003165603.tif 000008
【図７】
0003165603.tif 000009
【図８】
0003165603.tif 000010